(57)【要約】【課題】陰極電解により還元水を生成する装置を提供する。【解決手段】水槽２と、その水槽２に接続される循環路配管３と、その循環路配管３に設置されるポンプ４と、同じく循環路配管３に設置される陰極電解装置６と、を備える陰極電解還元水生成装置。こうして、水槽２に接続される循環路配管３に陰極電解装置６を設置することで、陰極電解により還元水を生成することができ、かつ、その還元水を循環させて生成して濃縮することができる。さらに、循環路配管３に設置される磁気式電磁波装置５を備える。こうして、循環路配管３に磁気式電磁波装置５を設置することで、磁化還元水を生成することができ、かつ、その磁化還元水を循環させて生成して濃縮することができる。【選択図】図１
2017070883.tif 000002
【特許請求の範囲】
【請求項１】
水槽と、
前記水槽に接続される循環路配管と、
前記循環路配管に設置されるポンプと、
前記循環路配管に設置される陰極電解装置と、を備えることを特徴とする陰極電解還元水生成装置。
【請求項２】
前記循環路配管に設置される磁気式電磁波装置を備えることを特徴とする請求項１に記載の陰極電解還元水生成装置。
【発明の詳細な説明】
【技術分野】
【０００１】
本発明は、陰極電解により還元水を生成する装置に関する。
【背景技術】
【０００２】
水道管や排水管等の管路に設置される磁気水処理装置は広く知られる（例えば特許文献１参照）。
そして、水槽に接続された循環路配管にポンプと磁気水処理装置を配置して磁化水を生成する装置も知られる（例えば特許文献２参照）。
【先行技術文献】
【特許文献】
【０００３】
【特許文献１】特許第３２６９７７４（特開平９−３０８８８８）号公報
【特許文献２】特開２０１３−２３１６０４号公報
【発明の概要】
【発明が解決しようとする課題】
【０００４】
本発明の課題は、陰極電解により還元水を生成する装置を提供することである。
【課題を解決するための手段】
【０００５】
以上の課題を解決するため、請求項１に記載の発明は、
水槽と、
前記水槽に接続される循環路配管と、
前記循環路配管に設置されるポンプと、
前記循環路配管に設置される陰極電解装置と、を備える陰極電解還元水生成装置を特徴とする。
【０００６】
請求項２に記載の発明は、
請求項１に記載の陰極電解還元水生成装置であって、
前記循環路配管に設置される磁気式電磁波装置を備えることを特徴とする。
【発明の効果】
【０００７】
本発明によれば、陰極電解により還元水を生成する装置を提供することができる。
【図面の簡単な説明】
【０００８】
【図１】本発明を適用した陰極電解還元水生成装置の一実施形態の構成を示す概略斜視図である。
【図２】図１の陰極電解還元水生成装置の側面図である。
【図３】図１のポンプの単品図である。
【図４】図１の磁気式電磁波装置の単品図で、内部を部分破断して示した図である。
【図５】図１の陰極電解装置の単品図（ａ）と、その断面図（ｂ）である。
【発明を実施するための形態】
【０００９】
以下、図を参照して本発明を実施するための形態を詳細に説明する。
【００１０】
（実施形態）
図１及び図２は本発明を適用した陰極電解還元水生成装置の一実施形態の概略構成を示すもので、１は架台フレーム、２は水槽、３は循環路配管、４は電動ポンプ、５は磁気式電磁波装置、６は陰極電解装置である。
【００１１】
図示のように、架台フレーム１の上部に水槽２が設置されて、この水槽２の底部から一側面に循環路配管３が接続されて、この循環路配管３に電動ポンプ４、磁気式電磁波装置５、及び陰極電解装置６が直列に設置されている。
【００１２】
循環路配管３は、水槽２の底面から電動ポンプ４に接続する第１配管３１と、電動ポンプ４から磁気式電磁波装置５に接続する第２配管３２と、磁気式電磁波装置５から陰極電解装置６に接続する第３配管３３と、陰極電解装置６から水槽２の一側面上部に接続する第４配管３４とからなる。
【００１３】
電動ポンプ４、及び磁気式電磁波装置５は、架台フレーム１の下部に配置されて、陰極電解装置６は、水槽２の一側方に垂直に配置されている。
また、架台フレーム１の下部にはタイマスイッチ１１が設けられて、水槽２の他側面下部には蛇口２１が設けられている。
【００１４】
電動ポンプ４は、図３に示すように、ポンプハウジング４１に吸入管４２及び吐出管４３を備えている。
そして、吸入管４２に第１配管３１が接続されて、吐出管４に第２配管３２が接続される。
【００１５】
磁気式電磁波装置５は、図４に示すように、ボックス状のケース５１に水平方向の管路５２とその上下一対の永久磁石５３・５４を内蔵したものである。
すなわち、水平方向の管路５２を挟んでその上下一対の強磁力を具備する永久磁石５３・５４がＳ極とＮ極を対向させて配置されている。
そして、管路５２の一端に第２配管３２が接続されて、管路５２の他端に第３配管３３が接続される。
【００１６】
陰極電解装置６は、図５に示すように、円筒状のケース６１の中心に沿って棒状の陰極６２を内蔵したものである。
そして、ケース６１の一端（下端）に第３配管３３が接続されて、ケース６１の他端（上端）に第４配管３４が接続される。
【００１７】
以上の構成による陰極電解還元水生成装置は、電動モータ３の駆動により水槽２内の水は、図１及び図２に矢印で示すように、水槽２の底面から循環路配管３内を水槽２の一側面に向かって流れる。
その過程において、先ず、磁気式電磁波装置５により磁化水が生成されて、次に、陰極電解装置６により還元水が生成されることで、磁化還元水が生成される。
【００１８】
すなわち、先ず、磁気式電磁波装置５において、電動ポンプ４から吐出されて第２配管３２からボックス状のケース５１内の管路５２に流れ込む水が、Ｓ極とＮ極を対向させて配置された一対の永久磁石５３・５４が具備する強磁力によって磁化されて磁化水となる。
【００１９】
次に、陰極電解装置６において、第３配管３３から円筒状のケース６１内に流れ込む水が、その中心に沿って配置された棒状の陰極６２による陰極電解によって還元されて還元水となる。
従って、磁化還元水となる。
【００２０】
つまり、磁気式電磁波装置５により生成された磁化水が、次の陰極電解装置６において、その陰極６２による陰極電解によって、酸化還元電位の低い磁化還元水となる。
【００２１】
そして、その磁化還元水は水槽２に戻される。
さらに、水槽２に戻された磁化還元水は、再び循環路配管３内を流れて、磁気式電磁波装置５及び陰極電解装置６により濃縮されていく。
なお、水槽２内の磁化還元水は、必要に応じて蛇口２１から取り出せる。
【００２２】
以上、実施形態の陰極電解還元水生成装置によれば、水槽２に接続される循環路配管３に陰極電解装置６を設置したので、陰極電解により還元水を生成することができ、かつ、その還元水を循環させて生成して濃縮することができる。
【００２３】
さらに、循環路配管３に磁気式電磁波装置５を設置したので、磁化還元水を生成することができ、かつ、その磁化還元水を循環させて生成して濃縮することができる。
【００２４】
（変形例）
以上の実施形態の他、具体的な細部構造等について適宜に変更可能であることは勿論である。
【符号の説明】
【００２５】
１  架台フレーム
１１  タイマスイッチ
２  水槽
２１  蛇口
３  循環路配管
３１  第１配管
３２  第２配管
３３  第３配管
３４  第４配管
４  電動ポンプ
４１  ポンプハウジング
４２  吸入管
４３  吐出管
５  磁気式電磁波装置
５１  ケース
５２  管路
５３・５４  永久磁石
６  陰極電解装置
６１  ケース
６２  陰極
【図１】
2017070883.tif 000003
【図２】
2017070883.tif 000004
【図３】
2017070883.tif 000005
【図４】
2017070883.tif 000006
【図５】
2017070883.tif 000007